【手続補正書】
【提出日】平成17年3月31日(2005.3.31)
【手続補正１】
【補正対象書類名】特許請求の範囲
【補正対象項目名】全文
【補正方法】変更
【補正の内容】
【特許請求の範囲】
【請求項１】
予め設定された隠しホールにおけるスコアに基づいて競技終了後に適用されるハンディキャップを設定するゴルフ競技に使用する競技支援装置であって、
ゴルフ競技の開始前に設定されるハンディキャップである特定ハンディキャップを記憶する記憶手段と、
ゴルフ競技に係るスコア及びホールの情報を含むスコア情報を入力する手段と、
前記入力したスコア情報を記憶するスコア情報記憶手段と、
前記入力したスコア情報に基づいて、各競技者の競技途中結果を計算する競技途中結果計算手段と、
競技の進行に応じて設定される基準数値を計算する基準数値計算手段と、
各競技者について、隠しホールに係るスコア情報が入力されていない場合には、前記記憶手段に記憶されている特定ハンディキャップと、前記スコア情報記憶手段に記憶されているスコア情報とに基づいて、競技の進行に応じて配分されるハンディキャップである実効的ハンディキャップを計算し、一方、隠しホールに係るスコア情報が入力されている場合には、前記入力された隠しホールに係るスコア情報に基づいて、変動ハンディキャップを計算し、当該計算した変動ハンディキャップと、前記スコア情報記憶手段に記憶されているスコア情報とに基づいて、前記実効的ハンディキャップを計算する実効的ハンディキャップ計算手段と、
前記計算した競技途中結果と、前記計算した実効的ハンディキャップと、前記計算した基準数値とに基づいて、競技途中の競技順位を決定するための数値である比較用数値を競技者毎に算出する手段と、
前記算出した比較用数値に基づいて、競技途中の各競技者の競技順位を決定する手段と、
前記決定された競技順位を表示する競技順位表示手段と、
を有することを特徴とする競技支援装置。
【請求項２】
予め設定された隠しホールにおけるスコアに基づいて競技終了後に適用されるハンディキャップを設定するゴルフ競技に使用する競技支援装置であって、
ゴルフ競技の開始前に設定されるハンディキャップである特定ハンディキャップと、各ホールのパー数を含むコースデータとを記憶する記憶手段と、
ゴルフ競技に係るスコア及びホールの情報を含むスコア情報を入力する手段と、
前記入力したスコア情報を記憶するスコア情報記憶手段と、
前記入力したスコア情報に基づいて、各競技者の競技終了ホールに係る合計スコア及び合計パー数を計算する手段と、
前記入力したスコア情報に基づいて、各競技者の隠しホールについての終了ホール数及び合計スコアを計算する手段と、
各競技者について、隠しホールに係るスコア情報が入力されていない場合には、前記記憶手段に記憶されている特定ハンディキャップと、競技終了ホール数とに基づいて、競技の進行に応じて配分されるハンディキャップである実効的ハンディキャップを計算し、一方、隠しホールに係るスコア情報が入力されている場合には、前記計算した隠しホールについての終了ホール数及び合計スコアと、競技終了ホールに係る合計パー数とに基づいて、変動ハンディキャップを計算し、当該計算した変動ハンディキャップと、競技終了ホール数とに基づいて、前記実効的ハンディキャップを計算する実効的ハンディキャップ計算手段と、
前記計算した競技終了ホールに係る合計スコアから、前記計算した実効的ハンディキャップ及び競技終了ホールに係る合計パー数を減じ、競技途中の競技順位を決定するための数値である比較用数値を競技者毎に算出する手段と、
前記算出した比較用数値に基づいて、競技途中の各競技者の競技順位を決定する手段と、
前記決定された競技順位を表示する競技順位表示手段と、
を有することを特徴とする競技支援装置。
【請求項３】
競技終了段階での競技成績に適用される全体ハンディキャップを競技進行に応じて配分してなる実効的ハンディキャップを競技進行途中の競技成績に適用して競技順位を決定する競技順位設定手段を用い、競技の進行に応じて設定されるハンディキャップによって競技の進行に応じて競技順位の決定を行うことを特徴とする競技成績集計方法。
【請求項４】
前記全体ハンディキャップを競技者ごとに複数種類備え、当該複数のハンディキャップのいずれを競技順位決定に適用するかを競技進行に合わせて決定する請求項３記載の競技成績集計方法。
【請求項５】
前記複数種類の全体ハンディキャップには、競技開始前に設定される特定ハンディキャップ、または競技開始後の競技成績に基づいて決定される変動ハンディキャップが含まれる請求項３又は請求項４記載の競技成績集計方法。
【請求項６】
前記競技順位設定手段は、前記変動ハンディキャップを決定する条件が充足されたことを契機として、競技進行の途中から当該変動ハンディキャップを競技順位の決定に適用する請求項５記載の競技成績集計方法。
【請求項７】
前記複数種類の全体ハンディキャップから競技者に選択された一の全体ハンディキャップを適用して競技進行途中の順位を決定する請求項４から請求項６のいずれか一に記載の競技成績集計方法。
【請求項８】
全競技終了後に適用される全体ハンディキャップを競技の進行に応じて配分してなる実効的ハンディキャップを競技者ごとに設定する実効的ハンディキャップ設定手段と、
当該実効的ハンディキャップによって競技の進行に応じて競技順位の決定を行う順位決定手段とを有することを特徴とする競技支援装置。
【請求項９】
前記全体ハンディキャップは、競技開始前に設定される特定ハンディキャップ及び競技開始後に設定される変動ハンディキャップであり、
前記実効的ハンディキャップの設定にいずれのハンディキャップを適用するかを決定するハンディキャップ切替手段を備える請求項８記載の競技支援装置。
【請求項１０】
複数のデータ出入力端末と、当該複数のデータ出入力端末と電気通信回線を通じて接続されるサーバとを備え、
前記複数のデータ出入力端末のいずれかから入力されたデータに基づいて作成されたデータは、前記複数のデータ出入力端末及び前記サーバに電気通信回線を通じて共有可能とされ、
全競技終了後に適用される全体ハンディキャップを競技の進行に応じて配分してなる実効的ハンディキャップを競技者ごとに設定する実効的ハンディキャップ設定手段と、当該実効的ハンディキャップによって競技の進行に応じて競技順位の決定を行う順位決定手段とは、それぞれ前記複数のデータ出入力端末及び前記サーバの少なくとも一つに備えられることを特徴とする競技支援システム。
【請求項１１】
前記全体ハンディキャップは、競技開始前に設定される特定ハンディキャップ及び競技開始後に設定される変動ハンディキャップであり、
前記複数のデータ出入力端末及び前記サーバの少なくとも一つは、
前記実効的ハンディキャップの設定にいずれのハンディキャップを適用するかを決定するハンディキャップ切替手段を備える請求項１０記載の競技支援システム。
【請求項１２】
前記複数のデータ出入力端末及び前記サーバの少なくとも一つは、
前記複数のデータ出入力端末のいずれかから入力されたデータを記憶する記憶手段と、当該記憶したデータに特定のデータが含まれているか否かを検出する検出手段と、前記検出手段が前記特定のデータを検出したときは、当該データを演算して演算結果のデータを算出する制御部とを備え、
前記記憶手段には、全競技終了後に適用される全体ハンディキャップと競技途中結果を含む競技者ごとの個人データとが格納され、
前記制御部は、前記実効的ハンディキャップ設定手段と前記順位決定手段とを有する請求項１０又は請求項１１記載の競技支援システム。
【請求項１３】
前記実効的ハンディキャップ設定手段は、
競技途中に前記データ出入力端末を介して前記記憶手段に入力されるデータに基づいて各競技者の競技途中結果を計算する競技途中結果計算手段と、
競技の進行に応じて前記全体ハンディキャップを配分してなる実効的ハンディキャップを計算する実効的ハンディキャップ計算手段と、
競技の進行に応じて予め設定される基準数値を計算する基準数値計算手段とを備え、
前記順位決定手段は、前記競技途中結果から前記実効的ハンディキャップと前記参照用数値とを減じてなる比較用数値を競技者ごとに計算して、当該比較用数値を比較することで競技途中の競技順位を決定する請求項１２記載の競技支援システム。
【請求項１４】
前記データ出入力端末は、前記順位決定手段によって決定された競技順位を他の競技者の競技順位と比較可能に表示する競技順位表示手段を備える請求項１０から請求項１３のいずれか記載の競技支援システム。
【請求項１５】
前記データ出入力端末は、前記順位決定手段によって決定された競技順位が所定順位である競技者にその旨を報知する順位報知手段を備える請求項１０から請求項１４のいずれか一に記載の競技支援システム。
【請求項１６】
前記実行ハンディキャップ設定手段は複数種類の全体ハンディキャップから選ばれる一の全体ハンディキャップに基づいて実行ハンディキャップの設定可能とされ、
当該複数種類の全体ハンディキャップのいずれを実効的ハンディキャップの計算に用いるかを競技者の意思に基づいて選択するハンディキャップ選択手段を備える請求項１０から請求項１５のいずれか一に記載の競技支援システム。
【請求項１７】
前記ハンディキャップ選択手段への選択指令が前記データ出入力端末から入力可能な請求項１６記載の競技支援システム。
【請求項１８】
前記データ出入力端末は、競技途中の各競技者の競技附帯技能データを入力可能とされ、
前記複数のデータ出入力端末及び前記サーバの少なくとも一つは、電気通信回線を通じて入力される各競技者の前記競技附帯技能データを比較して競技附帯技能の能力順位を決定する能力順位決定手段を備え、
前記データ出入力端末は、当該能力順位決定手段によって決定された能力順位を表示する能力順位表示手段を備える請求項１０から請求項１７のいずれか一に記載の競技支援装置。
【請求項１９】
前記能力順位表示手段は、各競技者が相互に他の競技者の順位を確認可能に表示する請求項１８記載の競技支援システム。
【請求項２０】
前記データ出入力端末は、前記能力順位決定手段によって決定された能力順位が所定順位である競技者にその旨を報知する能力順位報知手段を備える請求項１８又は請求項１９記載の競技支援システム。
【請求項２１】
前記データ出入力端末及び前記サーバの少なくとも一つは、各競技者の過去の競技に係る履歴データを入力可能とされ、
前記データ出入力端末は、当該履歴データを表示する履歴データ表示手段を備える請求項１０から請求項２０のいずれか一に記載の競技支援システム。
【請求項２２】
前記複数のデータ出入力端末及び前記サーバの少なくとも一つは、前記履歴データに基づいて前記特定ハンディキャップを設定する特定ハンディキャップ設定手段を有する請求項２１記載の競技支援システム。
【請求項２３】
競技がゴルフであって、
前記記憶手段は、各ホールのパー数を含むコースデータを格納し、
前記基準数値計算手段は、競技が終了したホールの合計パー数を基準数値として計算する請求項１３から請求項２２のいずれか一に記載の競技支援システム。
【請求項２４】
前記複数のデータ出入力端末及び前記サーバの少なくとも一つは、前記変動ハンディキャップを設定する変動ハンディキャップ決定手段を備え、
当該変動ハンディキャップ決定手段は、競技開始前に予め設定される隠しホールでのスコアに基づいて前記変動ハンディキャップを決定し、
前記ハンディキャップ切替手段は、前記隠しホールの少なくとも一つでのスコアがデータ出入力端末に入力されたことを契機として前記変動ハンディキャップへの切替を行う請求項２３記載の競技支援システム。
【請求項２５】
前記複数のデータ出入力端末の少なくとも一つは移動端末である請求項１０から請求項２４のいずれかに記載の競技支援システム。